(57)【特許請求の範囲】
【請求項１】
撮影レンズと、
露出時の上記撮影レンズのＦナンバーを決定する決定手段と、
撮影する構図内の複数ポイントの距離を測定する測距手段と、
上記測距手段の測距結果から、最至近距離に関する第１の測距情報、上記最至近距離及び無限遠以外の距離の平均値に関する第２の測距情報を選択する選択手段と、
上記第１の測距情報、上記第２の測距情報、上記Ｆナンバーの情報、及び上記撮影レンズの焦点距離情報に基づいて、主要被写体以外の像のぼけ程度を演算する演算手段と、
上記演算手段により得られるぼけ程度が許容レベルである場合にはその旨を表示し、許容レベルを超える場合には警告表示を行う表示手段と、
を具備することを特徴とするカメラ。
【請求項２】
撮影レンズと、
露出時の上記撮影レンズのＦナンバーを決定する決定手段と、
撮影する構図内の複数ポイントの距離を測定する測距手段と、
上記測距手段の測距結果から、最至近距離に関する第１の測距情報、上記最至近距離及び無限遠以外の距離の平均値に関する第２の測距情報を選択する選択手段と、
上記第１の測距情報、上記第２の測距情報、上記Ｆナンバーの情報及び、上記撮影レンズの焦点距離情報とに基づいて、主要被写体以外の像のぼけ程度値を演算する演算手段と、
上記演算手段により得られたぼけ程度値を所定値と比較する比較手段と、
上記比較手段の比較結果に基づき上記ぼけ程度値が上記所定値よりも大きい場合には許容ぼけレベルである旨の表示を行い、上記ぼけ程度値が上記所定値よりも小さい場合には警告表示を行う表示手段と、
を具備することを特徴とするカメラ。
【請求項３】
撮影する構図内の複数ポイントの距離を測定する測距手段と、
撮影用ズームレンズと、
撮影者が期待する構図のイメージを表示する表示手段と、
上記測距手段の出力結果に基づいて、主要被写体距離と背景距離を演算する演算手段と、
上記撮影者が期待する構図に関する情報、上記主要被写体距離及び上記背景距離に基づいて、背景の被写体の像のぼけ程度が所定レベルとなるように、上記撮影用ズームレンズのズーム位置を演算、決定する演算制御手段と、
上記演算制御手段の演算結果に基づいて、上記撮影用ズームレンズを駆動する駆動手段と、
を具備することを特徴とするカメラ。
【請求項４】
さらに、ポートレートモードを選択する選択手段を具備し、上記表示手段は、上記選択手段の操作に従って構図のイメージを表示することを特徴とする請求項３に記載のカメラ。
【発明の詳細な説明】
【０００１】
【産業上の利用分野】
本発明は、ポートレートモード機能を有するズームレンズ付き小型カメラに関する。
【０００２】
【従来の技術】
一般に、人物の顔を主とした人物写真（ポートレート）を撮影するためのモード機能を有するカメラがある。このポートレートは、主被写体（人物）にピントが合い、背景がぼけている写真で、比較的、大口径のテーキングレンズを備えるカメラに好適する撮影モードである。
【０００３】
一般的には、前記大口径テーキングレンズは、ズームレンズ付き小型カメラには、スペースの関係で搭載されていない。前記ズームレンズ付き小型がカメラポートレートモード機能を有する場合には、撮影レンズを開放側にして、撮影を行っている。
【０００４】
また、特開昭５９−１４６０２９号公報に記載されるようなマルチオートフォーカス機能を有するカメラを用いて、人物にピントを合わせ、ポートレートとして撮影することもできる。
【０００５】
【発明が解決しようとする課題】
しかし、前述したポートレートモード機能を有するズームレンズ付き小型カメラにより、撮影した場合には、レンズを開放させても、レンズの口径が小さいため、十分な明るさを確保することができない。そのため、背景がぼけない場合がある。
【０００６】
また、特開昭５９−１４６０２９号公報に記載されるカメラは、マルチオートフォーカスにより、合焦する被写体を選択するものであり、ポ―トレ―トのために背景が惚けるように機能する技術ではない。
【０００７】
そこで本発明は、レンズ口径が小さくとも背景をぼけさせて、ポートレートを撮影できるズームレンズ付きの小型なカメラを提供することを目的とする。
【０００８】
【課題を解決するための手段】
本発明は上記目的を達成するために、撮影レンズと、露出時の上記撮影レンズのＦナンバーを決定する決定手段と、撮影する構図内の複数ポイントの距離を測定する測距手段と、上記測距手段の測距結果から、最至近距離に関する第１の測距情報、上記最至近距離及び無限遠以外の距離の平均値に関する第２の測距情報を選択する選択手段と、上記第１の測距情報、上記第２の測距情報、上記Ｆナンバーの情報、及び上記撮影レンズの焦点距離情報に基づいて、主要被写体以外の像のぼけ程度を演算する演算手段と、上記演算手段により得られるぼけ程度が許容レベルである場合にはその旨を表示し、許容レベルを超える場合には警告表示を行う表示手段とを備えるカメラを提供する。
また、撮影レンズと、露出時の上記撮影レンズのＦナンバーを決定する決定手段と、撮影する構図内の複数ポイントの距離を測定する測距手段と、上記測距手段の測距結果から、最至近距離に関する第１の測距情報、上記最至近距離及び無限遠以外の距離の平均値に関する第２の測距情報を選択する選択手段と、上記第１の測距情報、上記第２の測距情報、上記Ｆナンバーの情報及び、上記撮影レンズの焦点距離情報とに基づいて、主要被写体以外の像のぼけ程度値を演算する演算手段と、上記演算手段により得られたぼけ程度値を所定値と比較する比較手段と、上記比較手段の比較結果に基づき上記ぼけ程度値が上記所定値よりも大きい場合には許容ぼけレベルである旨の表示を行い、上記ぼけ程度値が上記所定値よりも小さい場合には警告表示を行う表示手段とを備えるカメラを提供する。
【０００９】
さらに、撮影する構図内の複数ポイントの距離を測定する測距手段と、撮影用ズームレンズと、撮影者が期待する構図のイメージを表示する表示手段と、上記測距手段の出力結果に従って、主要被写体距離と背景距離を演算する演算手段と、上記測距手段の出力結果に基づいて、主要被写体距離と背景距離を演算する演算手段と、上記撮影者が期待する構図に関する情報、上記主要被写体距離及び上記背景距離に基づいて、背景の被写体の像のぼけ程度が所定レベルとなるように、上記撮影用ズームレンズのズーム位置を演算、決定する演算制御手段と、上記演算制御手段の演算結果に基づいて、上記撮影用ズームレンズを駆動する駆動手段とを備えるカメラを提供する。
【００１０】
【作用】
以上のような構成のカメラは、測距手段による測距結果から、最至近距離に関する第１の測距情報と、上記最至近距離及び無限遠以外の距離の平均値に関する第２の測距情報とが選択され、これらの第１の測距情報、上記第２の測距情報、上記Ｆナンバーの情報、及び上記撮影レンズの焦点距離情報に基づいて、主要被写体以外の像のぼけ程度が演算される。得られたぼけ程度が許容レベルである場合にはその旨を表示し、許容レベルを超える場合には警告表示される。
【００１１】
また、ＦＮｏをＡＥによって決めるのではなく、自動ズーミング動作による開放ＦＮｏによって決定され、被写体の明るさによって制御しきれない時には、警告される。
【００１２】
【実施例】
以下、図面を参照して本発明の実施例を詳細に説明する。
【００１３】
図１には、本発明による第１実施例としてのカメラの概念的な構成を示し、説明する。
【００１４】
このカメラにおいて、測距ユニット（ＡＦ）部１は、中央処理部（ＣＰＵ）２の制御により被写体までの距離を測距する。このＣＰＵ２は、シャッタ―ボタン（図示せず）の操作に従って、ピント合せ、露出等のシーケンスを制御するものであり、ズームボタン（図示せず）の操作に従って、ズームレンズ３のズーミング動作を制御する。
【００１５】
前記ズ―ムレンズ３には、ズ―ム位置に従って、そのパターンを変えるパターン状電極と、電極上を摺動するスイッチ等からなるズーム位置エンコーダ（図示せず）からなるズーム情報部４が設けられ、ＣＰＵ２に対し撮影レンズの焦点距離情報を出力する。そして表示部５は、撮影に先立って撮影者に警告等の表示を行うものであり、例えばファインダ内に配置される。また、ポートレート写真を撮影するためのポートレートモードに設定するスイッチ６が設けられている。
【００１６】
さらに被写体輝度と、使用フィルムの感度の情報を出力するＡＥ部７が設けられ、前記ＣＰＵ２は、この情報に従って、撮影レンズの撮影絞りと、シャッタスピードを決定する。
【００１７】
そして、図２に示すように、ズームレンズ３のついたカメラ８が被写体９に対して構えられており、背景として、立木１０が立っているとする。被写体までの距離Ｌは前記ＡＦ部１によって測定可能である。また、立木１０と、主たる被写体９の間の距離を“ｂ”とする。
【００１８】
このような状況で、被写体距離Ｌに対してピント合せをした時、立木１０の像のぼけの程度を錯乱円径εにより示すことができ、これは前記距離Ｌ，ｂ及び前記ＣＰＵ２が決定した撮影レンズ３の絞りＦナンバー（ＦＮｏ）と撮影レンズ３の焦点距離ｆにより近似計算される。
【００１９】
【数１】
0003568211.tif 000002
本実施例では、前記ＣＰＵ２が（１）式の演算を行ない、また、この結果εを、フィルムを現像しプリントした時に、美しいボケとして見えるレベルε０  とも比較する。前記ε０  とεが異なる時には、前記表示部５によって、撮影者に対して警告が行なわれるように構成されている。ここで、前記ＣＰＵ２は、距離ｂを固定値とし、５ｍ程度と想定して（１）式を演算すればよい。
【００２０】
次に図３には、第２実施例として前記（１）式を用いたカメラの構成例を示し説明する。ここで、第２実施例の構成部材で図１と同等の部材には、同じ参照符号を付して、その説明を省略する。
【００２１】
この第２実施例においては、撮影者の意図する写真を予めセレクトスイッチ１３によって、カメラに入力し、前記ＣＰＵ２が（１）式により、自動的に適正なεが求められ、ズーム位置を決定するものである。
【００２２】
まず、ポートレートモード設定スイッチ６を操作するとイメージ表示部１２に図４に示すように画面内に占める人物の大きさのイメージが液晶等で表示される。この表示は、撮影者のセレクトスイッチ１３の操作に従って、図４の（ａ）又は（ｂ）に切りかわる。このように最初に画面と、画面内に占める人物の大きさとの比率ｒを決めてしまうと、被写体距離Ｌと、焦点距離ｆとの間には
Ｌ＝Ａ・ｆ                                          …（２）
の関係が成立する。このＡは比例定数であり前記比率ｒにより決定される。（１），（２）式より
ＦＮｏ＝ｂ／ε（１／Ａ）２                            …（３）
となる。
【００２３】
図１に示した第１実施例では、距離ｂを固定値としたが、図３に示す第２実施例では、オートフォーカス部としてマルチオートフォーカス対応ユニット（マルチＡＦ部）１１を採用している。このマルチオートフォーカス技術は、図５に示すように、ファインダ１４内の１５，１６，１７の３ポイントを測距可能としたものである。この技術の採用により、カメラから主要被写体までの距離Ｌの他、背景の被写体までの距離Ｌ＋ｂも測定可能となる。従ってｂは
ｂ＝（Ｌ十ｂ）−Ｌ
を、ＣＰＵ２にて演算することにより求めることができる。小型に設計されたズームレンズでは、一般に焦点距離ｆが長くなる程、開放ＦＮｏが暗くなり、ｆが短くなる程、開放ＦＮｏが明るくなる。この関係を、
ｆ＝ｆ（ＦＮｏ）          …（４）
という関数であらわすと、（３）式より
【００２４】
【数２】
0003568211.tif 000003
として、ズーミング位置が決定される。
【００２５】
つまり本発明による実施例では、ＦＮｏをＡＥによって決めるのではなく、自動ズーミング動作による開放ＦＮｏによって決定する。露出はシャッタースピードで制御すればよいが、被写体の明るさによって制御しきれない時には、表示部５によって警告を行なえばよい。
【００２６】
よって、撮影者は自動ズーミングされたズーム位置で被写体を狙い、図４に示したように撮影者がイメージした構図になるように、被写体までの距離を選べばよい。
【００２７】
次に図６には、第３実施例として、前述した図１と、図３に示した実施例を共に達成することができるカメラの具体的な構成を示し説明する。ここで、第３実施例の構成部材で図１および図３に示した構成部材と同等の部材には、同じ参照符号を付して、その説明を省略する。
【００２８】
まず、イメージ表示部１２おいては、電極パターン３２，３３を切り換えることにより、図４（ａ）と（ｂ）のイメージ表示切換が可能となる。さらに、表示部５は、発光ダイオード３９，４０を利用し、ドライバ３７を介して撮影者がのぞくファインダの中で点滅することにより撮影者に警告を行なえるように構成してある。
【００２９】
また、ＡＥ情報部７は、公知のフィルム上のＤＸコードのパターンに従って閉成するスイッチ３４ａ，３４ｂ，３４ｃにより、フィルムの感度をＣＰＵ２に入力することができる。また、フォトダイオード３６は、被写体の輝度に対応した光電流を出力する。測光回路３５は、前記輝度光電流をＡ／Ｄ変換し、ＣＰＵに対して入力する。
【００３０】
そして、ズームレンズ部３は、前記ＣＰＵ２によりモータドライバ３０を介して、ズーミングモータ３１を駆動することにより、ズームレンズ群２９を長焦点側、又は短焦点側に所定の位置関係で移動させることができるようになっている。ズームレンズがどの焦点距離に設定されているかを、前述したズームエンコーダ４によって、ＣＰＵ２に入力される。また、ポートレートモード設定用スイッチ６と、イメージ切換用１３が設けられている。
【００３１】
また、スイッチ３７はレリーズボタンの押しこみの途中で閉成する、いわゆる１ｓｔレリーズスイッチであり、このスイッチのオンのタイミングで、測距、測光等が行なわれる。
【００３２】
さらにスイッチ３８は、レリーズボタンの押しこみによって閉成する２ｎｄレリーズスイッチであり、このスイッチのオンのタイミングで、ＣＰＵ２はピント位置制御、露出等のシーケンス制御を開始する。
【００３３】
次にマルチＡＦ部１１について説明する。
【００３４】
各々赤外発光ダイオード（ＩＲＥＤ）２２ａ，２２ｂ，２２ｃは、ドライバ２４により駆動電流が供給され、ＡＦ用のシーケンスコントローラ２８により決定されたタイミングで発光が行われる。
【００３５】
前記ＣＰＵ２によって、これらのＩＲＥＤは順次、独立して発光され、投光用レンズ２０によって集光し、被写体に向けて投射されて、測距用光となる。中心にあるＩＲＥＤ２２ｂは、投光用レンズの光軸上に配置され、ＩＲＥＤ２２ａ，２２ｃは各々、その左右に配置されているため、ファインダとのパララックスを無視すれば測距用光が投射されるファインダ内の位置は、図５に示したようになる。
【００３６】
前述した測距用光は、被写体から反射して受光レンズ２１に入射し、公知の光位置検出素子（ＰＳＤ）２３ａ，２３ｂ，２３ｃ上に結像する。投受光レンズ２０，２１は、光軸間距離（基線長）Ｓだけ離して配置されているが、前記ＰＳＤ２３ａ，２３ｂ，２３ｃは、この基線長の向きに長さ方向をとっているため、三角測距の原理によって、被写体距離に従って測距用光の入射位置がＰＳＤ２３ａ，２３ｂ，２３ｃ上で変化する。
【００３７】
この入射信号光はＰＳＤ２３ａ，２３ｂ，２３ｃによって光電流に変換されるが、その入射位置によって２つの電極から出力する光電流比を変える。従って、この２つの電流の比を演算することによって、被写体までの距離を測定することができる。
【００３８】
そしてプリアンプ２５，２６は、前記ＰＳＤ２３ａ，２３ｂ，２３ｃの出力電流を増幅する。増幅された信号電流は、演算回路２７に入力されるが、この演算回路２７は、公知の圧縮ダイオードと差動回路から構成されており、出力として前記２つの信号電流の比の演算結果が、前記ＣＰＵ２に出力される。
【００３９】
前記ＣＰＵ２は、この結果をＡ／Ｄ変換して入力することにより、被写体までの距離Ｌを演算することが可能となる。
【００４０】
前記ＩＲＥＤ２２ａ，２２ｂ，２２ｃに対応するように、ＰＳＤ２３ａ，２３ｂ，２３ｃがもうけられているので、各ＩＲＥＤを発光させると、その反射信号光は、前記各ＰＳＤに入射する。各ＩＲＥＤと各ＰＳＤの位置関係は相対的に同じ位置に各々配置されているので、３つのＰＳＤの出力信号は同一の処理回路にて演算が可能である。
【００４１】
前述したようにＣＰＵ２は、ＩＲＥＤ２３ａ，２３ｂ，２３ｃを順次発光することにより、自分割で図４に示した画面内のポイントの距離を演算することができる。
【００４２】
次に、図７のフローチャート及び図６のカメラ構成を参照して、第１実施例のカメラによる撮影動作を具体的に説明する。
【００４３】
このフローチャートは、図６に示したＣＰＵ２がシーケンス制御する。この実施例では図１に対応して図６に示したＡＦ部１１内のＩＲＥＤ２２ａ，２２ｃと、ＰＳＤ２３ａ，２３ｃを必要とせず、画面内中央に存在する主要被写体だけを測距できればよいので、原価を安くすることが可能である。
【００４４】
まず、撮影者が撮影を行なうにあたってレリーズボタンを半分押しこんだ時に閉成する１ｓｔレリーズスイッチがオンしているかどうかを判定する（ステップＳ１）。この判定で、１ｓｔレリーズスイッチがオンされていれば（ＹＥＳ）、露出を決定するためにＤＸスイッチ３４ａ，３４ｂ，３４ｃの設定状態からフィルム感度情報ＳｖをＣＰＵ２が入力する（ステップＳ２）。
【００４５】
そして測光用受光素子３６の出力を、測光回路３５がＡ／Ｄ変換してＣＰＵ２に入力するため、ＣＰＵ２はこの結果より被写体輝度情報Ｂｖが求められ、入力される（ステップＳ３）。
【００４６】
これら情報Ｓｖと情報Ｂｖとより、所定の露出演算を行なって撮影時のレンズのＦＮｏとシャッタスピードＴｖを決定する（ステップＳ４）。
【００４７】
次に、ＡＦ部１１の測距系により、被写体距離Ｌを測定し、ＣＰＵ２に入力する（ステップＳ５）。
【００４８】
次に、撮影者がポートレートのモード設定スイッチ６が操作されているか判定し（ステップＳ６）、ポートレートモードでなければ（ＮＯ）、レリーズボタンの押しこみによって閉成するスイッチである２ｎｄレリーズスイッチ３８の押されるタイミングを待ち、２ｎｄスイッチが押されたか否か判定する（ステップＳ１２）。
【００４９】
一方、ステップＳ６の判定で撮影者がポートレートモード選択スイッチを操作した時は（ＹＥＳ）、前述したズームエンコーダ４によって、撮影レンズの焦点距離ｆが入力される（ステップＳ７）。さらに露出演算によって“ＦＮｏ”、ステップＳ７によって“ｆ”、測距情報から“Ｌ”が求められ、主要被写体から背景までの距離ｂの決定により、背景のぼけを示す錯乱円径εが演算される（ステップＳ８）。ここで、一般的には、ポートレートモード写真でぼかしたい背景は、主要被写体である人物から３ｍ程度後ろに存在するため、本実施例では、距離ｂを３ｍと設定する。
【００５０】
次に求められたεと、背景のぼけ具合が適当な錯乱円径ε０  と比較する（ステップＳ９）。前記錯乱円径ε０  としては、５００μｍ程度が適当と考えられるので、例えば、ｆ＝５０ｍｍ、Ｌ＝２ｍ、ＦＮｏ＝５．６であれば、εが３３５μｍになり、錯乱円径ε０  が前記εの値より大きくなり（ＮＯ）、“ＮＧ”の表示により警告を行う（ステップＳ１０）。
【００５１】
また、ｆ＝５０ｍｍ、Ｌ＝１．５ｍ、ＦＮｏ５．６では、ε＝５９５μｍとなり、前記εの値が錯乱円径ε０  より大きくなり（ＹＥＳ）、“ＯＫ”表示を行う（ステップＳ１１）。これらの表示は、ＬＥＤ３９，４０によって行なう。
【００５２】
以上説明したように、同じ焦点距離、同じＦＮｏでも距離を変えれば、ポートレートとして適当な、背景のぼけを得ることができる。
【００５３】
しかし、一般的なテーキングレンズと別の光学系で被写体をフレーミングするレンズシャッターカメラ等では、ユーザは気づかずに撮影を行なってしまい、思い通りの写真がとれないことが多かった。
【００５４】
従って、本実施例のように特別な警告表示を行い、或いはもっと被写体に接近するように指示する表示をもうけることによって、所望する写真に撮影することが容易にできる。
【００５５】
さらに前述した被写体に接近するように指示する表示例として、図１１に示すように点滅表示してもよい。
【００５６】
ファインダ内の画面４１ａ、４１ｂをあらわしており、接近を促す表示３９や“ＯＫ”の表示４０を、撮影者にわかりやすいようにファインダ画面のすぐ下でＬＥＤ等により行なう。図１１（ａ）は被写体の距離が遠くて、接近が必要な場合、同図（ｂ）は背景が十分ぼけることを示す表示の例を示している。
【００５７】
次に被写体距離Ｌにピントを合せ（ステップＳ１３）、前述した露出演算結果の“ＦＮｏ”とシャッタースピード“Ｔｖ”に従い、露光動作を行なう（ステップＳ１４）。
【００５８】
次に、図８のフローチャート及び図６のカメラ構成を参照して、第２実施例のカメラによる撮影動作を具体的に説明する。
【００５９】
まず、１ｓｔレリーズスイッチがオンされたか否かを判定する（ステップＳ２１）、この判定でオンを検出すると（ＹＥＳ）、第１実施例と同様に露出のためにＣＰＵ２はＳｖ情報、Ｂｖ情報を入力する（ステップＳ２２，Ｓ２３）。
【００６０】
次にＡＦ部１１を用いて画面内の複数のポイントの距離を測定するマルチＡＦ動作を行なう（ステップＳ２４）。これは、ＩＲＥＤ２２ａ，２２ｂ，２２ｃを順次発光させ、それに同期してＰＳＤ２３ａ，２３ｂ，２３ｃの出力を切りかえて増幅演算することによって行なう。この実施例では画面内の３つのポイントの距離を測定することができる構成をとっている。つまり図１２に示すように、各ＩＲＥＤから投射された３つの測距用光は画面中央に存在する主要被写体である人物９の他、背景の立木１０ａや山１０ｂなどの距離を測定する。
【００６１】
そして、測距された距離の中から最至近距離の被写体を主要被写体として、その距離をピント合せ距離Ｌとする（ステップＳ２５）。
【００６２】
次にポートレートモードが選択されているか否かを判定する（ステップＳ２６）。この判定で、スイッチ６の操作により、ポートレートモードに設定されている時は（ＹＥＳ）、背景までの距離（Ｌ＋ｂ）を演算するが、各測距ポイントのデータを有効に利用して、主要被写体距離Ｌ以外の各点の平均値を背景距離とする（ステップＳ２７）。ただし、図２に示すように、はるか遠方の山ような被写体に対しては、カメラの測距装置では無限遠という結果を出力する。これを加味すると平均は常に無限遠となってしまうため、この実施例においては、無限遠のデータは無視することにした。
【００６３】
次に、求められた背景距離（Ｌ＋ｂ）と主要被写体距離Ｌの差を求め、第（３）式におけるｂとして設定する（ステップＳ２９）。一方、ポートレートモードに設定されていなければ（ＮＯ）、露出演算を行い、ＦＮｏ，Ｔｖを算出し、後述するステップＳ４１に移行する。
【００６４】
次に、第（２）式のＡを演算する（ステップＳ３０）。ここでＡの演算について、図１３を参照して説明する。図４（ａ）又は（ｂ）で説明したように、被写体の画面内における大きさが決定されている時、例えば図１３（ｂ）のように画面横幅Ｗと人物の肩幅Ｗｘが所定の関係ｒにある時、図１３により明らかなように、
【００６５】
【数３】
0003568211.tif 000004
この時、ＷＦ  はフィムの撮影される範囲の横幅でｆはテーキングレンズの焦点距離である。従って
Ｌ＝Ｗｘ  ／ｒ・ＷＦ  ｆ                                …（７）
となる。Ｗｘ  を略一定、ｒ・ＷＦ  は決まっているので（３）式のＡは
Ａ＝Ｗｘ  ／ｒ・ＷＦ                                    …（８）
となる。本実施例では、図４に示すように、ｒ＝１／２とｒ＝１／３が撮影者が選択できるようにされているため、ｒは未定であり、Ｗｘ  は前述したように、ほぼ一定の４０ｃｍとし、ＷＦ  もカメラによって決まっているため、ＣＰＵ２はＡを演算することができる。
【００６６】
次に、求められた結果Ａにより、第（３）式に従ってＦＮｏを求める（ステップＳ３１）。ここで、εは第１の実施例で述べたように５００μｍを考えている。
【００６７】
一般に小型化を重視して設計されたコンパクトカメラ等に搭載されたズームレンズでは開放ＦＮｏがズーミングに応じて変化する。そこで、ステップＳ３１で求められたＦＮｏと同じ開放ＦＮｏを持つズーミング位置にズームレンズを移動させる（ステップＳ３２，Ｓ３３）。
【００６８】
このズーミング位置で、撮影者が主要被写体に対し最初に想定した構図になる距離をとれば、背景が美しくぼけて、人物がうかび上がった写真（ポートレート写真）が簡単に撮影できる。ただし、開放ＦＮｏで撮影を行なうと、適正露出が行なわれない可能性があるので、すでに求めたＢｖ，Ｓｖ及び開放ＦＮｏに従ってシャッタースピードＴｖを求め（ステップＳ３４）、そのＴｖが実際にとれる位置かどうかを判定する（ステップＳ３５）。
【００６９】
この判定で、被写体が明るすぎてカメラのシャッタスピード限界を超えるような時には（ＹＥＳ）、警告を行なう（ステップＳ３７）。そのシャッタスピード限界内であれば、撮影タイミングで押しこまれる２ｎｄレリーズスイッチのオン／オフを判定する（ステップＳ３６）。この判定で、２ｎｄレリーズスイッチが入らなずオフ状態の場合には（ＮＯ）、１ｓｔレリーズスイッチのオン／オフの確認を行う（ステップＳ３９）。前記１ｓｔレリーズスイッチがオン状態、つまりシャッター半押し状態であれば（ＹＥＳ）、前記開放ＦＮｏのズーミング位置で停止している。前記１ｓｔレリーズスイッチがオフ状態であれば（ＮＯ）、すなわち１ｓｔスイッチもはなれていると、ステップＳ２１に戻る。
【００７０】
しかし、ステップＳ３６の判定で、レリーズボタンが押しこまれると２ｎｄレリーズスイッチがオンし（ＹＥＳ）、再度、マルチＡＦを行い（ステップＳ３８）、最至近選択を行い（ステップＳ４０）、最至近選択結果に従い、ピント合せを行なう（ステップＳ４１）。ここで、再測距を行なうのは、ステップＳ３３で行なったズーミング状態で、撮影者が構図を選んで被写体までの距離を変えているからである。ただし、被写体と背景の距離は変化していないはずなので、１ｓｔレリーズを押しなおさない限り、ズームの再演算は行なわない。
【００７１】
次にピント合せを行なった後、露光する（ステップＳ４２）。
【００７２】
次に図９のフローチャートを参照して、本発明による第３実施例としてのカメラの動作を示し説明する。ここで第４実施例としてのカメラの動作で、図８のフローチャートと同等の動作については、同じステップ番号を付し、その説明を省略する。
【００７３】
この実施例は、背景により大きなぼけを持たせるために、主要被写体のピントを少々前ピンとするものである。但し、このピント位置をシフトしすぎると主被写体そのものがぼけてしまうため、シフト量ａは、ステップＳ５１に示す式により求める。そして、被写体距離Ｌにピントを合せるのではなく、被写体距離Ｌから前記シフト量ａを引いたポイントにピントを合せる（ステップＳ５２）。
【００７４】
図９のフローチャートは、図８のステップＳ４０とステップＳ４１の間に前ピンのステップを挿入すればよく、またステップＳ５１のＦＮｏ，Ｌやｆの値は撮影時点のものである。
【００７５】
この実施例では、εｘ  はぼけが大きくなりすぎないように、２０μｍ程度にとればよい。この実施例によって、背景をぼかす効果はいっそう顕著となる。
【００７６】
次に図１０には、本発明による第４実施例として、図８のＦＮｏオートズームによる実施例と、図１，図７で説明した背景ピントのプレビュー確認機能を組み合わせたカメラの動作を説明する。この実施例は、図６の構成部材と同等の構成からなり、ポートレートモードが３つのモードからなるものとする。
【００７７】
第１のモードとしては、図６に示したポートレートモード設定スイッチ６のみを操作した状態での背景ピントのプレビュー確認機能である。この時、液晶表示１２には、パターン３２，３３のような表示はない。
【００７８】
第２，第３のモードとしては、スイッチ１３を操作しての図４で説明したような、２つのイメージ入力モードである。これらモードでは表示１２のパターン３２又３３が表示されるものとする。
【００７９】
この第４実施例の動作は、図８のフローチャートのステップＳ２９とステップＳ３０の間に図１０のフローチャートが挿入されたものである。
【００８０】
つまり、図８のステップＳ２９の距離ｂを求めた後、スイッチ１３を操作して撮影する構図のイメージを設定の有無を判定する（ステップＳ５３）。すなわち、撮影する構図イメージが設定していれば（ＹＥＳ）、図８のステップＳ３０に移行する。しかし、構図イメージが設定されていなければ（ＮＯ）、図７のステップＳ７〜Ｓ１１に到る動作と同様に、撮影レンズの焦点距離ｆを入力し（ステップＳ５４）、その状態での背景のぼけぐあいを演算判定し（ステップＳ５５，Ｓ５６）、ＯＫ表示（ステップＳ５７）若しくは、警告（ステップＳ５８）を行なえばよい。本実施例は、マルチＡＦの機能を持つので、ここでの距離ｂは、図７の固定値と違って、図８のステップＳ２９の式で求められた結果を用いるものとする。
【００８１】
以上説明したように本実施例によれば、同じ焦点距離、同じＦＮｏでも距離を変えれば、ポートレートとして適当な、背景のぼけを得ることができる。
【００８２】
さらに前述したように、一般的なテーキングレンズと別の光学系で被写体をフレーミングするレンズシャッターカメラ等の直接的に、背景のぼけ具合を確認できない構造のカメラにおいても、本実施例のように特別な警告表示を行い、或いはもっと被写体に接近するように指示する表示を行い、背景のぼけ具合を撮影前に確認でき、失敗のないポートレート写真を撮影できるカメラが簡単な構成で提供できる。
【００８３】
また本発明は、前述した実施例に限定されるものではなく、他にも発明の要旨を逸脱しない範囲で種々の変形や応用が可能であることは勿論である。
【００８４】
【発明の効果】
以上詳述したように本発明によれば、レンズ口径が小さくとも背景をぼけさせて、ポートレートを撮影できるズームレンズ付きの小型なカメラを提供することができる。
【図面の簡単な説明】
【図１】図１は、本発明による第１実施例としてのカメラの概念的な構成を示す図である。
【図２】図２は、撮影の被写体位置とカメラの位置関係を示す図である。
【図３】図３は、本発明による第２実施例としてのカメラの構成例を示す図である。
【図４】図４は、図３に示したイメージ表部の画面に写しだされる人物の大きさのイメージを示す図である。
【図５】図５は、マルチオートフォーカス技術によるファインダ内の測距ポイントを示す図である。
【図６】図６は、本発明による第３実施例としてのカメラの具体的な構成を示す図である。
【図７】図７は、第１実施例のカメラによる撮影動作を示すフローチャートである。
【図８】図８は、第２実施例のカメラによる撮影動作を示すフローチャートである。
【図９】図９は、第３実施例のカメラによる撮影動作を示すフローチャートである。
【図１０】図１０は、第４実施例のカメラによる撮影動作を示すフローチャートである。
【図１１】図１１は、撮影者に行う警告表示の一例を示す図である。
【図１２】図１２は、測距を行うときのカメラと被写体との位置関係を示す図である。
【図１３】図１３は、ファインダの画面横幅と人物の肩幅の位置関係を示す図である。
【符号の説明】
１…測距ユニット部（ＡＦ部）、２…中央処理部（ＣＰＵ）、３…ズームレンズ、４…ズーム情報部、５…表示部、６…ポートレートモード設定スイッチ、７…ＡＥ部、８…カメラ、９…被写体、１０…立木、１１…マルチオートフォーカス対応ユニット（マルチＡＦ部）、１２…イメージ表部、１３…セレクトスイッチ。
【図１】
0003568211.tif 000005
【図２】
0003568211.tif 000006
【図３】
0003568211.tif 000007
【図４】
0003568211.tif 000008
【図５】
0003568211.tif 000009
【図６】
0003568211.tif 000010
【図７】
0003568211.tif 000011
【図８】
0003568211.tif 000012
【図９】
0003568211.tif 000013
【図１０】
0003568211.tif 000014
【図１１】
0003568211.tif 000015
【図１２】
0003568211.tif 000016
【図１３】
0003568211.tif 000017